(57)【特許請求の範囲】
【請求項１】
バーナと、該バーナの燃焼開始と燃焼停止とを指示する燃焼指示手段と、該バーナの燃焼状態に応じた電圧を出力する熱電対と、前記バーナの燃焼開始後、該バーナの燃焼状態が安定したときの前記熱電対の出力電圧に基づいて、燃焼用酸素の不足を検知するための基準電圧を決定し、該基準電圧を保持する基準電圧保持手段と、前記バーナの燃焼状態が安定した後、前記熱電対の出力電圧が前記基準電圧以下となったときに、燃焼用酸素が不足した状態となったと判断して前記バーナの燃焼を停止する酸欠監視処理を行う酸欠監視手段とを備えた燃焼装置において、
前記燃焼指示手段又は前記酸欠監視手段により前記バーナの燃焼が停止されたときに、その後、燃焼用酸素の濃度が所定濃度まで回復したか否かを判断する酸素濃度回復判断手段を設け、
前記燃焼指示手段又は前記酸欠監視手段により前記バーナの燃焼が停止された後、前記酸素濃度回復判断手段により、燃焼用酸素の濃度が前記所定濃度まで回復したと判断されるまでは、前記基準電圧保持手段は前記燃焼指示手段により前記バーナの燃焼が再開されても、前記基準電圧を変更せずに前記バーナの燃焼が停止された時の前記基準電圧を保持し、前記酸欠監視手段は、前記基準電圧保持手段により保持された前記バーナが停止された時点での前記基準電圧により前記酸欠監視処理を行うことを特徴とする燃焼装置。
【請求項２】
前記酸素濃度回復判断手段は、前記酸欠監視手段により前記バーナの燃焼が停止されてから所定時間が経過したときに、燃焼用酸素の濃度が前記所定濃度まで回復したと判断することを特徴とする請求項１記載の燃焼装置。
【請求項３】
前記酸素濃度回復判断手段は、前記所定時間を、前記燃焼指示手段の指示により前記バーナの燃焼が開始されてから、前記燃焼指示手段の指示により前記バーナの燃焼が停止されるまでの前記バーナの前回の燃焼継続時間に応じて決定することを特徴とする請求項２記載の燃焼装置。
【請求項４】
前記酸素濃度回復判断手段は、前記燃焼指示手段又は前記酸欠監視手段により前記バーナの燃焼が停止された後、前記熱電対の出力電圧が所定レベル以下まで低下したときに、燃焼用酸素の濃度が前記所定濃度まで回復したと判断することを特徴とする請求項１記載の燃焼装置。
【請求項５】
前記燃焼装置の異常過熱を検出するための過熱温度検出手段を備え、前記酸素濃度回復判断手段は、前記燃焼指示手段又は前記酸欠監視手段により前記バーナの燃焼が停止された後、該過熱温度検出手段の検出温度が第１所定温度以下となったときに、燃焼用酸素の濃度が前記所定濃度まで回復したと判断することを特徴とする請求項１記載の燃焼装置。
【請求項６】
前記燃焼装置は暖房機であって室内の温度を検出する室温検出手段を備え、前記酸素濃度回復判断手段は、前記燃焼指示手段又は前記酸欠監視手段により前記バーナの燃焼が停止された後、該室温検出手段の検出温度が第２所定温度以上低下したときに、燃焼用酸素の濃度が前記所定濃度まで回復したと判断することを特徴とする請求項１記載の燃焼装置。
【発明の詳細な説明】
【０００１】
【発明の属する技術の分野】
本発明は、バーナ燃焼時に生じる燃焼用酸素の不足を監視し、燃焼用酸素が不足する状態となったときにバーナの燃焼を停止する燃焼装置に関する。
【０００２】
【従来の技術】
従来、バーナを有する燃焼装置において、該バーナに近接して熱電対を設け、該バーナの燃焼時に該熱電対から出力される電圧を所定の基準電圧と比較することで、該バーナの燃焼状態を監視する燃焼装置が知られている。このように熱電対を設けた場合、熱電対の出力電圧は燃焼装置が設置された室内の酸素濃度が低下するに従って低くなる。そのため、バーナの燃焼時に熱電対の出力電圧が所定の基準電圧以下となったときに、燃焼用酸素が不足した状態になったと判断してバーナの燃焼を停止することによって、燃焼用酸素の不足によりバーナの不完全燃焼が生じることを防止することができる。
【０００３】
しかし、バーナ燃焼時の熱電対の出力電圧と室内の酸素濃度との関係は、熱電対とバーナの取付け位置の関係や、熱電対の経年劣化等によって変化する。そのため、前記基準電圧を固定値としたときには、燃焼用酸素が不足する状態となったことを精度良く検知することができない場合があった。
【０００４】
そこで、本願発明者は、バーナの点火後、燃焼状態が安定したときの熱電対の出力電圧に基づいて前記基準電圧を決定する燃焼装置を発明した（特許第２６７７４７８号公報）。この先願発明によれば、バーナの燃焼状態が安定したときの熱電対の出力電圧から所定レベル低い電圧に前記基準電圧を決定することで、上述した熱電対とバーナの取付け位置の関係や、熱電対の経年変化等の影響を排除して精度よく燃焼用酸素の不足を検知することができる。
【０００５】
しかし、本願発明者らは、バーナの燃焼を停止した直後に該バーナを再点火して燃焼を再開したときに、前記先願発明の方法によって、バーナの燃焼状態が安定した状態での熱電対の出力電圧に基づいて前記基準電圧を決定した場合には、以下の不都合が生じることを知見した。
【０００６】
即ち、バーナの燃焼が開始されると、室内の酸素が燃焼により消費されるため、燃焼時間の経過に伴って室内の燃焼用酸素の濃度が低下する。そのため、バーナの燃焼を停止したときには、燃焼用酸素の濃度は燃焼開始時よりも低下した状態となる。そして、この状態でガスバーナを再点火して燃焼を再開し、前記先願発明の方法により基準電圧を決定すると、燃焼用酸素の濃度が低下した状態でガスバーナの燃焼が安定したときの熱電対の出力電圧に基づいて、前記基準電圧が決定される。
【０００７】
このようにして、燃焼用酸素の濃度が低下した状態でのガスバーナの燃焼再開時に新たに決定される基準電圧は、燃焼用酸素の濃度の低下に伴って熱電対の出力電圧が低下するため、燃焼開始時（燃焼用酸素の濃度が低下する前）に決定された基準電圧よりも低いものとなる。そのため、ガスバーナの燃焼が再開された後、燃焼用酸素の不足がさらに進んで熱電対の出力電圧が燃焼再開時に新たに決定された基準電圧以下となるまでは、熱電対の出力電圧が燃焼開始時に決定された基準電圧以下、即ち、本来燃焼用酸素が不足した状態と判断されるべき状態となっても、バーナの燃焼が継続され、ガスバーナの不完全燃焼が生じるおそれがあるという不都合があった。
【０００８】
【発明が解決しようとする課題】
本発明は、上記不都合を解消し、燃焼用酸素が不足した状態でバーナの燃焼が継続されることを防止した燃焼装置を提供することを目的とする。
【０００９】
【課題を解決するための手段】
本発明は、上記目的を達成するためになされたものであり、バーナと、該バーナの燃焼開始と燃焼停止とを指示する燃焼指示手段と、該バーナの燃焼状態に応じた電圧を出力する熱電対と、前記バーナの燃焼開始後、該バーナの燃焼状態が安定したときの前記熱電対の出力電圧に基づいて、燃焼用酸素の不足を検知するための基準電圧を決定し、該基準電圧を保持する基準電圧保持手段と、前記バーナの燃焼状態が安定した後、前記熱電対の出力電圧が前記基準電圧以下となったときに、燃焼用酸素が不足した状態となったと判断して前記バーナの燃焼を停止する酸欠監視処理を行う酸欠監視手段とを備えた燃焼装置の改良に関する。
【００１０】
前記バーナの燃焼が開始されると、燃焼により酸素が消費されるため、燃焼用酸素の濃度は徐々に低下する。そのため、前記燃焼指示手段又は前記酸欠監視手段により前記バーナの燃焼が停止された時は、前記バーナの燃焼開始時よりも燃焼用酸素の濃度が低下した状態にある。そして、このように燃焼用酸素の濃度が低下した状態で前記バーナの燃焼が再開されたときに、前記基準電圧保持手段により、前記バーナの燃焼状態が安定したときの前記熱電対の出力電圧に基づいて前記基準電圧を決定すると、決定される前記基準電圧は、前記バーナの燃焼開始時、即ち燃焼用酸素の濃度が低下する前に決定された前記基準電圧よりも低いものとなる。
【００１１】
そのため、燃焼用酸素の濃度が低下した状態での前記バーナの燃焼再開後に決定された基準電圧に基づいて前記酸欠監視処理を行うと、燃焼用酸素が不足した状態がさらに悪化して、前記熱電対の出力電圧が前記バーナの燃焼再開後に決定された基準電圧以下となるまでは、前記バーナの燃焼が継続される。したがって、熱電対の出力電圧が前記バーナの燃焼開始時に決定された基準電圧以下となり、本来ならば燃焼用酸素が不足した状態であると判断されるべき状態となっても前記バーナの燃焼が継続され、燃焼用酸素の不足により前記バーナの不完全燃焼が生じるおそれがある。
【００１２】
そこで、本発明は、前記燃焼指示手段又は前記酸欠監視手段により前記バーナの燃焼が停止されたときに、その後、燃焼用酸素の濃度が所定濃度まで回復したか否かを判断する酸素濃度回復判断手段を設け、前記燃焼指示手段又は前記酸欠監視手段により前記バーナの燃焼が停止された後、前記酸素濃度回復判断手段により、燃焼用酸素の濃度が前記所定濃度まで回復したと判断されるまでは、前記基準電圧保持手段は前記燃焼指示手段により前記バーナの燃焼が再開されても、前記基準電圧を変更せずに前記バーナの燃焼が停止された時の前記基準電圧を保持し、前記酸欠監視手段は、前記基準電圧保持手段により保持された前記バーナが停止された時点での前記基準電圧により前記酸欠監視処理を行うことを特徴とする。
【００１３】
かかる本発明によれば、前記燃焼指示手段又は前記酸欠監視手段により前記バーナの燃焼が停止された後、前記酸素濃度回復判断手段により燃焼用酸素の濃度が前記所定濃度（通常の室内の酸素濃度を基準に決定される）まで回復したと判断される前に、前記バーナの燃焼が再開されたときは、前記酸欠監視手段は前記バーナの燃焼を停止した時の前記基準電圧により前記酸欠監視処理を行う。
【００１４】
そのため、燃焼用酸素の濃度が前記所定濃度よりも低下した状態で前記バーナの燃焼が再開されたときでも、燃焼用酸素が不足する状態となったときには、前記熱電対の出力電圧が（前記バーナの燃焼停止時の）前記基準電圧以下となって、前記酸欠監視手段により前記バーナの燃焼が停止される。したがって、燃焼用酸素が不足した状態で前記バーナの燃焼が継続され、前記バーナの不完全燃焼が生じることを防止することができる。
【００１５】
また、前記酸欠監視手段により前記バーナの燃焼が停止されてから、ある程度時間が経過すれば、前記燃焼装置の置かれた環境の換気が進んで、燃焼酸素の濃度が前記所定濃度まで回復すると考えられる。
【００１６】
そのため、前記酸素濃度回復判断手段は、前記酸欠監視手段により前記バーナの燃焼が停止されてから、所定時間が経過したときに、燃焼用酸素の濃度が前記所定濃度まで回復したと判断することができる。
【００１７】
また、前記バーナの燃焼継続時間が長くなるに従って、燃焼により消費される酸素の総量も多くなる。そのため、前記燃焼指示手段の指示によって前記バーナの燃焼が停止された時の燃焼用酸素の濃度は、燃焼が停止されるまでの前記バーナの燃焼継続時間が長いほど低くなる。そして、前記バーナの燃焼が停止された時の燃焼用酸素の濃度が低いほど、その後、燃焼用酸素の濃度が前記所定濃度まで回復するのに要する時間が長くなる。
【００１８】
そのため、前記酸素濃度回復判断手段は、前記所定時間を、前記燃焼指示手段の指示により前記バーナの燃焼が開始されてから、前記燃焼指示手段の指示により前記バーナの燃焼が停止されるまでの前記バーナの前回の燃焼継続時間に応じて決定することで、前記所定時間を必要最小限の時間に設定することができる。
【００１９】
また、前記バーナの燃焼が開始されると、燃焼炎により前記熱電対が加熱されて前記熱電対の出力電圧が上昇する。そして、前記バーナの燃焼が停止されると、その後は時間の経過とともに前記熱電対は自然冷却されるので、前記熱電対の出力電圧は次第に低下する。
【００２０】
そのため、前記酸素濃度回復判断手段は、前記燃焼指示手段又は前記酸欠監視手段により前記バーナの燃焼が停止された後、前記熱電対の出力電圧が所定レベル以下まで低下したときに、時間の経過により、燃焼用酸素の濃度が前記所定濃度まで回復したと判断することができる。
【００２１】
また、前記燃焼装置が、前記バーナの異常燃焼等により前記燃焼装置が異常に加熱されたことを検出するための過熱温度検出手段を備えている場合は、前記バーナの燃焼が開始されると、前記バーナから放出される熱により前記燃焼装置が全体的に昇温されるので、前記過熱温度検出手段の検出温度はある程度上昇する。そして、前記バーナの燃焼が停止すると、その後は時間の経過とともに、前記燃焼装置は自然冷却されるので、前記過熱温度検出手段の検出温度は次第に低下する。
【００２２】
そのため、前記酸素濃度回復判断手段は、前記燃焼指示手段又は前記酸欠監視手段により前記バーナの燃焼が停止された後、該過熱温度検出手段の検出温度が第１所定温度以下となったときに、時間の経過により燃焼用酸素の濃度が前記所定濃度まで回復したと判断することができる。
【００２３】
また、前記燃焼装置が暖房機であって室内の温度を検出する室温検出手段を備えている場合は、前記バーナの燃焼が開始されて室内の暖房が行われると、室温が上昇するため、前記室温検出手段の検出温度が上昇する。そして、前記燃焼指示手段又は前記酸欠監視手段により、前記バーナの燃焼が停止されると、その後は時間の経過とともに室温が下がるため、前記室温検出手段の検出温度が下降する。
【００２４】
そのため、前記酸素濃度回復判断手段は、前記燃焼指示手段又は前記酸欠監視手段により前記バーナの燃焼が停止された後、前記室温検出手段の検出温度が第２所定温度以上低下したときに、時間の経過により燃焼用酸素の濃度が前記所定濃度まで回復したと判断することができる。
【００２５】
【発明の実施の形態】
本発明の実施の形態の一例について、図１〜図１１を参照して説明する。図１は本発明の燃焼装置である温風暖房機の全体構成図、図２は図１に示した温風暖房機の制御ブロック図、図３，図４は図１に示した制御ユニットの燃焼制御部の作動フローチャート、図５は図２に示した酸欠監視手段の作動フローチャート、図６は図２に示した基準電圧保持手段の作動フローチャート、図７は図２に示した酸素濃度回復判断手段の作動説明図、図８は燃焼用酸素の濃度が回復するまでに要する時間の設定方法の説明図、図９〜図１１は図２に示した酸素濃度回復判断手段による、燃焼用酸素の濃度の回復判断方法の説明図である。
【００２６】
図１を参照して、本実施の形態の温風暖房機はガスファンヒータであり、室内に配置される本体ケース１内に、ダクト２、送風ファン３、ガスバーナ４（本発明のバーナに相当する）、給気ダクト５、ガス供給管６及び制御ユニット７を備える。
【００２７】
ダクト２は、温風の送風路を構成するものであり、室内空気を取り込むための吸気口８を本体ケース１の背面に開口し、本体ケース１の前面下部において温風の吹出口９を開口している。吸気口８には塵や埃等がダクト２内に流入するのを防ぐためにエアフィルタ１０が着脱自在に取付けられている。吹出口９には、その開口度合いを調節する可動式ルーバ１１が取付けられ、この可動式ルーバ１１を駆動するためのギヤドモータ１２が設けられている。
【００２８】
送風ファン３は、通電電流に比例して回転数が変化するファンモータ１４と、吹出口９に臨んでダクト２内に配置されファンモータ１４により回転駆動される回転羽根１５とを有し、回転羽根１５の回転により吸気口８からダクト２内に室内空気ｓを吸引する。そして、吸引した室内空気ｓをダクト２内に組み込まれたガスバーナ４の燃焼排気ｈと混合し、それを温風ｍとして吹出口９から室内に吹き出す。この送風ファン３には、ファンモータ１４の回転数を検出する回転数センサ１６（ホール素子等により構成される）が設けられ、該回転数センサ１６は、ファンモータ１４の回転数に応じた信号を制御ユニット７に出力する。
【００２９】
ダクト２内に組み込まれたガスバーナ４の下流側に、燃焼用空気と燃料ガスとの混合気に点火するための点火電極１９が配置され、ガスバーナ４の燃焼排気ｈは燃焼胴１７からダクト２内に排出される。また、ガスバーナ４の下流側には燃焼炎の有無を検知するための熱電対２０が配置され、この熱電対２０は、ガスバーナ４の燃焼炎に晒された状態で起電力を発生し、それを制御ユニット７に出力する。
【００３０】
給気ダクト５は、室内空気ｓ（燃焼用空気）と燃料ガスとをガスバーナ４に供給するための通路であり、ガスバーナ４と燃焼胴１７とを連通し且つダクト２と画成して本体ケース１内に組み込まれ、本体ケース１の背面で開口した室内空気ｓの吸気口２１を有している。そして、給気ダクト５のガスバーナ４側の箇所には、ガス供給管６の先端に取付けられたノズル２２が設けられている。この給気ダクト５には、送風ファン３の回転作動により吸気口２１から室内空気ｓが吸引され、その吸引された室内空気ｓがガス供給管６のノズル２２から噴出される燃料ガスと混合されて、その混合気がガスバーナ４に供給される。尚、吸気口２１は、ダクト２の吸気口８と共にエアフィルタ１０により覆われている。
【００３１】
また、給気ダクト５の内部の吸気口２１付近の箇所には、この吸気口２１に臨んで室温サーミスタ１３（本発明の室温検出手段に相当する）が取付けられ、この室温サーミスタ１３は、室温に応じた信号を制御ユニット７に出力する。
【００３２】
ガス供給管６には、その上流側より、電磁弁２４，２５及び電磁比例弁２６が順に配設されている。電磁弁２４，２５は制御ユニット７からの通電により開弁するものであり、通電が停止されると閉弁状態となって燃料ガスの通過を遮断する。電磁比例弁２６は、制御ユニット７からの通電電流の大きさに伴って開度が増大する弁であり、通電電流とガスバーナ４への供給ガス量とが比例する。
【００３３】
本体ケース１の外面部には運転スイッチ２７、室温設定スイッチ２８及びフィルタランプ２９が配設されている。運転スイッチ２７（本発明の燃焼指示手段に相当する）は、そのＯＮ／ＯＦＦ操作により暖房運転の開始や終了を制御ユニット７に指示する。また、運転スイッチ２７にはランプ（図示しない）が内蔵されており、ファンヒータの運転状態に応じて該ランプが点灯、点滅、消灯する。室温設定スイッチ２８は室温を設定するための操作スイッチであり、その所定の操作により、設定温度Ｔａ  を例えば１℃ずつ上昇あるいは下降させて制御ユニット７に指示する。
【００３４】
フィルタランプ２９は、エアフィルタ１０の目詰まりが進行している場合等、送風ファン３の回転作動時の風量が、正常な場合に比してある程度少なくなった場合に、制御ユニット７の通電制御により点灯し、その点灯によりエアフィルタ１０の清掃等の必要性を使用者に報知する。また、過熱防止用サーミスタ３０（本発明の過熱温度検出手段に相当する）は、ガスバーナ４の燃焼不良等により、ガスファンヒータの内部温度が異常に上昇したことを検知するものであり、制御ユニット７は、過熱防止用サーミスタ３０の検出温度からガスファンヒータの内部温度が異常に上昇したことを検知したときは、ガスバーナ４の燃焼を停止してガスファンヒータを保護する。
【００３５】
次に、図２を参照して、制御ユニット７は、ＣＰＵやＲＯＭ、ＲＡＭ等を用いて構成されたものであり、本発明の基準電圧保持手段４０，酸欠監視手段４１，及び酸素濃度回復判断手段４２を有する燃焼制御部４３と、ファン制御部４４とを備える。
【００３６】
燃焼制御部４３は、運転スイッチ２７及び室温設定スイッチ２８の指示信号、並びに室温サーミスタ１３，過熱防止用サーミスタ３０及び熱電対２０の検出信号に基づき、ガスバーナ４の点火、消火、燃焼量の調整（電磁比例弁２６による燃料ガスの供給量の調整、及びファン制御部４４を介したファンモータ１４による燃焼用空気の供給量の調整）等の、ガスバーナ４の燃焼制御を行う。本実施の形態では、燃焼制御部４３は、ガスバーナ４の点火動作時を含む燃焼運転中に、ガスバーナ４の燃焼量を３段階（強燃焼，中燃焼，弱燃焼）に制御する。
【００３７】
基準電圧保持手段４０は、バーナ４の燃焼開始後、バーナ４の燃焼が安定したときの熱電対２０の出力電圧に基づいて、燃焼用酸素が不足した状態（例えば酸素濃度１８％以下）となったことを検知するための、前記強燃焼、中燃焼、及び弱燃焼に応じた強燃焼基準電圧ＶＳ  ，中燃焼基準電圧ＶＭ  ，及び弱燃焼基準電圧ＶＷ  を決定し、これらをメモリ４５に保持する。
【００３８】
酸欠監視手段４１は、バーナ４の燃焼中に、バーナ４の燃焼量（強燃焼，中燃焼，弱燃焼）に応じて、メモリ４５に保持された強燃焼基準電圧ＶＳ  ，中燃焼基準電圧ＶＭ  ，及び弱燃焼基準電圧ＶＷ  のいずれかを基準電圧ＶＢ  として選択し、熱電対２０の出力電圧が基準電圧ＶＢ  以下となったときに、燃焼用酸素が不足する状態となったと判断してバーナ４の燃焼を強制的に停止する。また、酸素濃度回復判断手段４２は、バーナ４の燃焼が停止した後、燃焼用酸素の濃度が所定濃度（例えば２０．５％）まで回復したか否かを判断する。
【００３９】
ファン制御部３１は、燃焼制御部４３から指示される燃焼量に応じた目標回転数（前記強燃焼，中燃焼，弱燃焼に対応した３段階）を決定し、回転数センサ１６で検出されるファンモータ１４の回転数が該目標回転数と一致するように、ファンモータ１４への通電量を制御する。
【００４０】
次に、図２に示した制御ユニット７の燃焼制御部４３による暖房運転の制御動作について、図１，図２を参照しつつ、図３，図４のフローチャートに従って説明する。本実施の形態のガスファンヒータにおいては、電源が供給されると、制御ユニット７が作動を開始して暖房運転の待機状態となる。
【００４１】
そして、図３のＳＴＥＰ１で、使用者が運転スイッチ２７をＯＮ操作すると、燃焼制御部４３による暖房運転の制御が開始される。燃焼制御部４３は、先ずＳＴＥＰ２で、ファン制御部４４を介して、送風ファン３を一定時間、所定の回転数（例えば前記強燃焼に応じた回転数）で作動させることで、ダクト２，給気ダクト５内のプリパージを行う。
【００４２】
ＳＴＥＰ２で前記プリパージを行った後、燃焼制御部３０は、点火電極１９に通電して火花放電を生じさせ、ＳＴＥＰ４で３０秒タイマをスタートさせる。そして、ＳＴＥＰ５で電磁弁２４，２５に通電してこれらを開弁し、ＳＴＥＰ６でガスバーナ４に供給される燃料ガスが中燃焼に応じた量になるように電磁比例弁２６に通電し、ＳＴＥＰ７でファン制御部４４を介して、ファンモータ１４を中燃焼に応じた回転数（中速）で回転させる。
【００４３】
ＳＴＥＰ８及びＳＴＥＰ３０は、ガスバーナ４の点火検知処理である。燃焼制御部４３は、ＳＴＥＰ６で点火電極１９の火花放電を開始してから、ＳＴＥＰ８で熱電対２０の出力電圧ＶＴＣが着火検知レベル以上となる前に、ＳＴＥＰ３０で３０秒タイマがタイムアップしたとき、即ち、点火電極１９の火花放電の開始から３０秒以内に、ガスバーナ４の点火が検知されなかった場合は、着火不良と判断してＳＴＥＰ３０からＳＴＥＰ３１に進む。そして、ＳＴＥＰ３１で電磁弁２４，２５を閉弁してガスバーナ４への燃料ガスの供給を停止し、ＳＴＥＰ３２でファン制御部４４を介してファンモータ１４の作動を停止する。
【００４４】
さらに、燃焼制御部４３は、ＳＴＥＰ４１に進んで運転スイッチ２７に内蔵されたランプ（図示しない）を点滅させるエラー表示を行う。そして、ＳＴＥＰ４２で、使用者が運転スイッチ２７をＯＦＦ操作したときに、燃焼制御部４３は、運転スイッチ２７に内蔵されたランプを消灯してエラー表示を解除してＳＴＥＰ１に戻り、再び運転スイッチ２７のＯＮ操作待ちになる。
【００４５】
一方、ＳＴＥＰ８で熱電対２０の出力が着火検知レベル以上となったときには、燃焼制御部４３は、ＳＴＥＰ８からＳＴＥＰ９に進んで点火電極１９への通電を遮断して火花放電を停止する。続くＳＴＥＰ１０〜ＳＴＥＰ１３はガスバーナ４の燃焼状態を安定させるための強制強燃焼処理である。
【００４６】
燃焼制御部４３は、前記強燃焼の燃焼量に応じて、ＳＴＥＰ１０で電磁比例弁２６の開度を大きくし、ＳＴＥＰ１１でファン制御部４４を介してファンモータ１４の回転数を高速にする。そして、ＳＴＥＰ１２でスタートさせた５０秒タイマがＳＴＥＰ１３でタイムアップするまで、即ち５０秒間ガスバーナ４を前記強燃焼で継続燃焼させる。ここで、５０秒という強制燃焼の設定時間は、ガスバーナ４の燃焼開始初期において、ガスバーナ４の種々の動作環境、あるいは燃料の種類もしくは燃料成分のばらつきによらずに確実にガスバーナ４の燃焼を早期に安定化することができる時間を想定して定めたものである。
【００４７】
ＳＴＥＰ１３で５０秒タイマがタイムアップし、強制強燃焼が終了したときは、燃焼制御部４３は、ＳＴＥＰ１４で基準電圧保持手段４０の作動を開始し、ＳＴＥＰ１５で酸欠監視手段４１の作動を開始した後、ＳＴＥＰ１６で温調制御を開始する。温調制御においては、燃焼制御部４３は、室温設定スイッチ２８により設定された暖房目標温度と、室温サーミスタ１３により検出される実際の室内の温度との差に応じて、ガスバーナ４の燃焼量（強燃焼，中燃焼，弱燃焼）を決定する。そして、決定した燃焼量が得られるように、電磁比例弁２６の開度を調節し、また、ファン制御部４４を介してファンモータ１４の回転数を調節する。
【００４８】
温調制御の実行が開始されると、詳細は後述するが、基準電圧保持手段４０により、熱電対２０の出力電圧からガスバーナ４の燃焼用酸素の不足を検知するための基準電圧が決定（変更）され、温調制御の実行中は、酸欠監視手段４１により、燃焼用酸素が不足した状態となったか否かを監視する処理（酸欠監視処理）が実行される。酸欠監視手段４１は、燃焼用酸素が不足した状態となったことを検知すると、ガスバーナ４の燃焼を強制的に停止し、酸欠停止フラグをＯＮする。
【００４９】
そして、酸欠監視手段４１により酸欠停止フラグがＯＮされると、燃焼制御部４３は、ＳＴＥＰ１７からＳＴＥＰ４０に分岐して基準電圧保持手段４０の作動を停止してＳＴＥＰ４１に進み、上述したエラー表示等を行う。
【００５０】
また、温調制御の実行中に、使用者が運転スイッチ２７をＯＦＦ操作すると、ＳＴＥＰ１８からＳＴＥＰ１９に進み、燃焼制御部４３は、ＳＴＥＰ１９で基準電圧保持手段４０の作動を停止し、ＳＴＥＰ２０で酸欠監視手段４１の作動を停止する。そして、ＳＴＥＰ２１で電磁弁２４，２５を閉弁してガスバーナ４の燃焼を停止する。
【００５１】
次のＳＴＥＰ２２は、酸素濃度回復判断手段４２（図２参照）による処理であり、酸素濃度回復判断手段４２は、ガスバーナ４の燃焼が停止された後、燃焼用酸素の濃度が所定濃度まで回復したことを判断するために、回復タイマをスタートさせる。
【００５２】
ＳＴＥＰ２２における回復タイマの設定時間は、ＳＴＥＰ２１で電磁弁２４，２５が閉弁されてガスバーナ４の燃焼が停止された後、室内の換気が進んで、室内空気中の燃焼用酸素の濃度が所定濃度（例えば２０．５％、ガスバーナ４の燃焼を開始する前の室内の酸素濃度を基準として決定される）まで回復するのに要する時間を想定して決定される。
【００５３】
ここで、図８を参照して、ＳＴＥＰ２２における回復タイマの設定時間の決定方法について説明する。図８は、ガスバーナ４の燃焼と燃焼停止を行ったときの、燃焼用酸素の濃度の推移を示したグラフであり、縦軸が室内の燃焼用酸素の濃度（％）、横軸がバーナ４の燃焼開始からの経過時間（分）である。
【００５４】
先ず、燃焼用酸素の濃度が最も低下した状態、即ち１８％程度まで低下した状態（図中ｔ３１、これ以下になると酸欠監視手段４１によりガスバーナ４の燃焼が停止される）から、前記所定濃度（２０．５％）となるまで（図中ｔ３２）の時間を回復タイマの設定時間（固定値）とすることで、酸素濃度回復判断手段４２は、回復タイマがタイムアップした時に、燃焼用酸素の濃度が前記所定濃度（２０．５％）まで回復したと確実に判断することができる。
【００５５】
また、図８のｔ３０〜ｔ３１の３８分間、ガスバーナ４が継続燃焼したときは、燃焼用酸素の濃度が前記所定濃度（２０．５％）まで回復するのに、ｔ３１〜ｔ３２の８分間を要するのに対して、ｔ３３〜ｔ３４の１４分間、ガスバーナ４が継続燃焼したときは、燃焼用酸素の濃度が前記所定濃度（２０．５％）まで回復するのに、ｔ３４〜ｔ３５の３分間で済む。即ち、ガスバーナ４の燃焼継続時間が長いほど、ガスバーナ４の燃焼停止から、燃焼用酸素の濃度が前記所定濃度（２０．５％）まで回復するのに要する時間が短くて済む。そのため、ＳＴＥＰ２２における回復タイマの設定時間を、ガスバーナ４の燃焼継続時間に応じて、例えば、
設定時間＝燃焼継続時間／５
のように設定することで、回復タイマの設定時間を必要最小限の値に設定することができる。
【００５６】
そして、燃焼制御部４３は、ＳＴＥＰ２３で、ファンモータ１４を一定時間、所定の回転数（例えば弱燃焼に応じた回転数）で継続作動させて、ダクト２，給気ダクト５内のポストパージを行い、次いでＳＴＥＰ２４でファンモータ１４の作動を停止してＳＴＥＰ１に戻り、再び運転スイッチ２７のＯＮ操作待ちとなる。
【００５７】
次に、図５〜図７を参照して、基準電圧保持手段４０による強燃焼基準電圧ＶＳ  ，中燃焼基準電圧ＶＭ  ，及び弱燃焼基準電圧ＶＷ  の決定処理と、酸欠監視手段４１によるガスバーナ４に対する酸欠監視処理と、酸素濃度回復判断処理４２によるガスバーナ４の燃焼停止後の燃焼用酸素の濃度の回復判断処理について説明する。
【００５８】
図５は酸欠監視手段４１の作動フローチャートであり、酸欠監視手段４１は、該フローチャートに従って、基準電圧保持手段４０により決定された（決定方法については後述する）、強燃焼基準電圧ＶＳ  ，中燃焼基準電圧ＶＭ  ，及び弱燃焼基準電圧ＶＷ  を用いてガスバーナ４に対する酸欠監視処理を行う。
【００５９】
酸欠監視手段４１は、ＳＴＥＰ５０及びＳＴＥＰ６０で、ガスバーナ４の燃焼状態に応じて基準電圧ＶＢ  を設定する。即ち、ＳＴＥＰ５０でガスバーナ４が強燃焼状態であればＳＴＥＰ５１で強燃焼基準電圧ＶＳ  を基準電圧ＶＢ  とし、ＳＴＥＰ６０でガスバーナ４が中燃焼であればＳＴＥＰ６１で中燃焼基準電圧ＶＭ  を基準電圧ＶＢ  とし、ガスバーナ４が弱燃焼であればＳＴＥＰ６３で弱燃焼基準電圧ＶＷ  を基準電圧ＶＢ  とする。
【００６０】
次いで、酸欠監視手段４１は、ＳＴＥＰ５２で熱電対２０の出力電圧ＶＴＣを基準電圧ＶＢ  と比較し、熱電対２０の出力電圧ＶＴＣが基準電圧ＶＢ  以下となったときに、ガスバーナ４の燃焼用酸素が不足した状態（燃焼用酸素の濃度が１８％以下である状態）になったと判断してＳＴＥＰ５３に進む。そして、酸欠監視手段４１は、ＳＴＥＰ５３で電磁弁２４，２５を閉弁してガスバーナ４の燃焼を強制的に停止し、ＳＴＥＰ５４でファンモータ１４を停止する。
【００６１】
続くＳＴＥＰ５５は、酸素濃度回復判断手段４２による処理であり、酸素濃度回復判断手段４２は、回復タイマをスタートさせる。この回復タイマは、上述したように、燃焼用酸素の濃度がガスバーナ４の燃焼開始時の状態まで回復したことを判断するためのものである。ここで、ＳＴＥＰ５５における回復タイマの設定時間は、ＳＴＥＰ５３でガスバーナ４の燃焼が強制的に停止された後に、室内の換気が進んで燃焼用酸素の濃度が、前記所定濃度（２０．５％）まで回復するのに要する時間を想定して決定される。次いで、酸欠監視手段４１は、ＳＴＥＰ５６でガスバーナ４の燃焼を強制的に停止したことを示す酸欠停止フラグをＯＮする。これにより、上述した図４のフローチャートにおいて、燃焼制御部４３は、ＳＴＥＰ１７からＳＴＥＰ４０に分岐してエラー表示等を行う。
【００６２】
次に、図６のフローチャートを参照して、基準電圧保持手段４０（図２参照）の作動について説明する。基準電圧保持手段４０は、基本的にはＳＴＥＰ７１〜ＳＴＥＰ７９，ＳＴＥＰ９０〜ＳＴＥＰ９４，及びＳＴＥＰ９５〜ＳＴＥＰ９８の処理を実行することで、ガスバーナ４の燃焼開始後、ガスバーナ４の燃焼が安定した状態となった時に、上述した酸欠監視手段４１による酸欠監視処理で使用される、強燃焼基準電圧ＶＳ  ，中燃焼基準電圧ＶＭ  ，及び弱燃焼基準電圧ＶＷ  を決定してメモリ４５（図２参照）に保持する。
【００６３】
尚、メモリ４５に保持された強燃焼基準電圧ＶＳ  ，中燃焼基準電圧ＶＭ  ，及び弱燃焼基準電圧ＶＷ  のデータは、運転スイッチ２７がＯＦＦ操作されても消失せず、ガスファンヒータへの電源供給が遮断されたときに消失する。そして、ガスファンヒータへの電源供給が再開された時に、強燃焼基準電圧ＶＳ  ，中燃焼基準電圧ＶＭ  ，及び弱燃焼基準電圧ＶＷ  のデータとして所定の初期基準電圧ＶＩ  がメモリ４５にセットされる。
【００６４】
また、ＳＴＥＰ７０は、酸素濃度回復判断手段４２による処理であり、ガスバーナ４の燃焼が停止された直後に、ガスバーナ４が再点火されたときに生じる弊害を防止するためのものである。酸素濃度回復判断手段４２の処理による効果については後述する。
【００６５】
基準電圧保持手段４０は、ＳＴＥＰ７１で、強燃焼基準電圧ＶＳ  ，中燃焼基準電圧ＶＭ  ，及び弱燃焼基準電圧ＶＷ  が決定されたことを示すためのＶＳ  セットフラグ，ＶＭ  セットフラグ，及びＶＷ  セットフラグをリセット（＝０）する。そして、ＳＴＥＰ７２で、ガスバーナ４の燃焼が安定したことを判断するための２分タイマをスタートさせる。基準電圧保持手段４０は、ＳＴＥＰ７３でガスバーナ４の燃焼量が変化せずにＳＴＥＰ７４で２分タイマがタイムアップしたとき、即ち、ガスバーナ４が２分間同一の燃焼状態（強燃焼、中燃焼、弱燃焼のいずれかの燃焼状態）で継続して燃焼したときに、ガスバーナ４の燃焼状態が安定したと判断してＳＴＥＰ７５に進む。
【００６６】
そして、基準電圧保持手段４０は、ガスバーナ４が強燃焼で継続して２分間燃焼したときは、ＳＴＥＰ７５からＳＴＥＰ７６に進み、ＳＴＥＰ７６でＶＳ  セットフラグがリセット（＝０）されているとき（まだ強燃焼基準電圧ＶＳ  が決定されていない状態であるとき）は、ＳＴＥＰ７７で熱電対２０の出力電圧ＶＴＣを数回検出する。次いで、基準電圧保持手段４０は、ＳＴＥＰ７８で検出した熱電対２０の出力電圧ＶＴＣの平均電圧から所定レベル低い電圧を強燃焼基準電圧ＶＳ  として決定し、メモリ４５に保持する（それまでメモリ４５に保持されていた強燃焼基準電圧ＶＳ  のデータが更新される）。そして、ＳＴＥＰ７９で強燃焼基準電圧ＶＳ  が決定されたことを示すＶＳ  セットフラグをセット（＝１）する。
【００６７】
また、ガスバーナ４が中燃焼で継続して２分間燃焼したときは、ＳＴＥＰ７５からＳＴＥＰ９０，ＳＴＥＰ９１に進む。そして、基準電圧保持手段４０は、ＳＴＥＰ９１でＶＭ  セットフラグがリセット（＝０）されているとき（まだ中燃焼基準電圧ＶＭ  が決定されていない状態であるとき）は、ＳＴＥＰ９２で熱電対２０の出力電圧ＶＴＣを数回検出する。次いで、基準電圧保持手段４０は、ＳＴＥＰ９３で検出した熱電対２０の出力電圧ＶＴＣの平均電圧から所定レベル低い電圧を中燃焼基準電圧ＶＭ  として決定し、メモリ４５に保持する（それまでメモリ４５に保持されていた中燃焼基準電圧ＶＭ  のデータが更新される）。そして、ＳＴＥＰ９４で中燃焼基準電圧ＶＷ  が決定されたことを示すＶＷ  セットフラグをセット（＝１）する。
【００６８】
また、ガスバーナ４が弱燃焼で継続して２分間燃焼したときは、ＳＴＥＰ７５からＳＴＥＰ９０，ＳＴＥＰ９５に進む。そして、基準電圧保持手段４０は、ＳＴＥＰ９５でＶＷ  セットフラグがリセット（＝０）されているとき（まだ中燃焼基準電圧ＶＭ  が決定されていない状態であるとき）は、ＳＴＥＰ９６で熱電対２０の出力電圧ＶＴＣを数回検出する。次いで、基準電圧保持手段４０は、ＳＴＥＰ９７で検出した熱電対２０の出力電圧ＶＴＣの平均電圧から所定レベル低い電圧を小燃焼基準電圧ＶＷ  として決定し、メモリ４５に保持する（それまでメモリ４５に保持されていた弱燃焼基準電圧ＶＷ  のデータが更新される）。そして、ＳＴＥＰ９８で小燃焼基準電圧ＶＷ  が決定されたことを示すＶＷ  セットフラグをセット（＝１）する。
【００６９】
そして、基準電圧保持手段４０は、ＳＴＥＰ８０で、ＶＳ  セットフラグ，ＶＭ  セットフラグ，及びＶＷ  セットフラグが全てセット（＝１）されたとき、即ち、強燃焼基準電圧ＶＳ  ，中燃焼基準電圧ＶＭ  ，及び弱燃焼基準電圧ＶＷ  が全て決定されたときに、作動を終了する。
【００７０】
次に、図７（ａ），７（ｂ）を参照して、酸素濃度回復判断処理４２の処理によって得られる効果について説明する。図７（ａ），７（ｂ）はガスバーナ４の燃焼が開始された後、燃焼酸素の不足によりガスバーナ４の燃焼が停止され、その後、燃焼用酸素の濃度が前記所定濃度（２０．５％）まで回復する前に、ガスバーナ４の燃焼が再開された場合の、熱電対２０の出力電圧ＶＴＣの推移を示したグラフであり、縦軸が熱電対２０の出力電圧ＶＴＣ（ｍＶ）、横軸が経過時間（分）である。尚、説明の簡単のため、図７（ａ），７（ｂ）におけるガスバーナ４の燃焼は強燃焼でのみ行われるものとする。
【００７１】
図７（ａ）は、酸素濃度回復判断処理４２による処理を行わない場合である。時刻ｔ１０でガスバーナ４の燃焼が開始され、ガスバーナ４の燃焼状態が安定したｔ１１で、基準電圧保持手段４０は、熱電対の出力電圧ＶＡ１よりも所定レベル（図中ＶＤ  ）低い電圧ＶＢ１を、強燃焼基準電圧ＶＳ  （ＶＳ  ＝ＶＡ１−ＶＤ  、ＶＡ１は前記所定濃度（２０．５％）に対応した電圧となる）として決定（変更）し、酸欠監視手段４１は該燃焼基準電圧ＶＳ  を基準電圧ＶＢ  （＝ＶＢ１）として前記酸欠監視処理を行う。
そして、熱電対２０の出力電圧ＶＴＣが基準電圧ＶＢ  （＝ＶＢ１）以下となったｔ１２で、酸欠監視手段４１はガスバーナ４の燃焼を強制的に停止する。その後、燃焼用酸素の濃度が前記所定濃度（２０．５％）まで回復する前に、ｔ１３で使用者が運転スイッチ２７をＯＮ操作してガスバーナ４の燃焼が再開されると、燃焼用酸素の濃度が前記所定濃度（２０．５％）よりも低下した状態で、ガスバーナ４の燃焼が安定したｔ１４で、熱電対２０の出力電圧ＶＡ２（＜ＶＡ１）よりも所定レベル（図中ＶＤ  ）低いＶＢ２を電圧保持手段４０は強燃焼基準電圧ＶＳ  （ＶＳ  ＝ＶＡ２−ＶＤ  ）を決定し、酸欠監視手段４１は該強燃焼基準電圧ＶＳ  を基準電圧ＶＢ  （＝ＶＢ２，＜ＶＢ１）として決定して前記酸欠監視処理を行う。
【００７２】
このように、酸素濃度回復判断手段４２による処理を行わなかったときは、ｔ１３でガスバーナ４の燃焼を再開したときに、ｔ１４で新たに決定される基準電圧ＶＢ  （＝ＶＢ２）がガスバーナ４の燃焼停止時の基準電圧ＶＢ  （＝ＶＢ１，燃焼用酸素濃度１８％に対応する）よりも低くなる。そのため、ｔ１４で酸欠監視手段４１による酸欠監視処理が開始されたときに、熱電対２０の出力電圧ＶＴＣが燃焼停止時の基準電圧ＶＢ  （＝ＶＢ１）以下となり、本来ならば、燃焼用酸素が不足した状態（燃焼用酸素の濃度が１８％以下）と判断されるべき状態となっても、ガスバーナ４の燃焼は停止されない。
【００７３】
そして、燃焼用酸素の濃度がさらに低下して熱電対２０の出力電圧ＶＴＣが、ｔ１４で新たに決定された基準電圧ＶＢ  （＝ＶＢ２）以下となるｔ１５までは、燃焼用酸素の濃度が不足した状態でガスバーナ４の燃焼が継続されるため、ガスバーナ４の不完全燃焼が生じるおそれがある。
【００７４】
一方、図７（ｂ）は、酸素濃度回復判断処理４２による処理を行う場合である。ｔ２０でガスバーナ４の燃焼が開始されると、図７（ａ）と同様、ガスバーナ４の燃焼状態が安定したｔ２１で、基準電圧保持手段４０は強制燃焼基準電圧ＶＳ  を（図中ＶＢ３＝ＶＡ３−ＶＤ  、ＶＡ３は前記所定濃度（２０．５％）に対応した電圧となる）を決定し、酸欠監視手段４１は該強燃焼基準電圧ＶＳ  を基準電圧ＶＢ  （＝ＶＢ３）として前記酸欠監視処理を行う。
【００７５】
そして、熱電対２０の出力電圧ＶＴＣがＶＢ３以下となったｔ２２で、酸欠監視手段４１はガスバーナ４の燃焼を強制的に停止する。この時、上述した図５のフローチャートのＳＴＥＰ５５で、酸素濃度回復判断手段４２により回復タイマがスタートされる。その後、燃焼用酸素の濃度が前記所定濃度（２０．５％）まで回復する前に、ｔ２３で使用者が運転スイッチ２７をＯＮ操作してガスバーナ４の燃焼が再開されたときは、回復タイマはまだタイムアップしていない。
【００７６】
そのため、基準電圧保持手段４０は、上述した図６のフローチャートのＳＴＥＰ７０で待ち状態となり、ＳＴＥＰ７１以下の処理は行われない。即ち、強燃焼基準電圧ＶＳ  の更新が禁止される。この場合、酸欠監視手段４１は、基準電圧保持手段４０のメモリ４５に保持された、ｔ２２でガスバーナ４の燃焼が強制的に停止されたときの基準電圧ＶＢ  （＝ＶＢ３）を用いて前記酸欠監視処理を行うこととなる。
【００７７】
これにより、ｔ２３でガスバーナ４の燃焼が再開されてから、ガスバーナの燃焼が安定したｔ２４で、酸欠監視手段４２による前記酸欠監視処理が開始されたときに、熱電対２０の出力電圧ＶＴＣが基準電圧ＶＢ  （＝ＶＢ３）以下となるため、ガスバーナ４の燃焼が直ちに停止される。
【００７８】
そのため、図７（ａ）に示した例のように、燃焼用酸素が不足した状態（酸素濃度１８％以下）で、ガスバーナ４の燃焼が継続され、ガスバーナ４の不完全燃焼が生じることを防止することができる。
【００７９】
尚、図７（ａ），７（ｂ）では、酸欠監視手段４２によりガスバーナ４の燃焼が強制的に停止されたときの例を示したが、使用者の運転スイッチ２７の操作によりガスバーナ４の燃焼が停止されたときにも、酸素濃度回復判断手段４２により燃焼用酸素の濃度が前記所定濃度（２０．５％）まで回復するまでは、ガスバーナ４の燃焼停止時の基準電圧ＶＢ  （酸素濃度１８％に応じて電圧）で前記酸欠監視処理が行われる。そのため、燃焼用酸素が不足した状態（酸素濃度が１８％以下となった状態）でガスバーナ４の燃焼が継続されることが防止される。
【００８０】
また、本実施の形態では、酸素濃度回復判断手段４２は、ガスバーナ４の燃焼停止後、所定時間が経過したときに、燃焼用酸素の濃度が前記所定濃度（２０．５％）まで回復したと判断したが、図９に示したように、ｔ４０でガスバーナ４の燃焼が開始され、ｔ４１でガスバーナ４の燃焼が停止されたときに、その後時間が経過して燃焼用酸素の濃度が高くなるにつれて、熱電対２０の出力電圧が低下する。そのため、酸素濃度回復判断手段４２は、ガスバーナ４の燃焼停止後、熱電対２０の出力電圧が所定レベル（例えば２ｍＶ）以下となったときに、燃焼用酸素の濃度が前記所定濃度（２０．５％）まで回復したと判断するようにしてもよい。
【００８１】
また、図１０を参照して、ｔ５０でガスバーナ４の燃焼が開始されると、過熱防止用サーミスタ３０の検出温度が上昇する。そして、ｔ５１でガスバーナ４の燃焼が停止されると、その後時間が経過して燃焼用酸素の濃度が高くなるにつれて、過熱防止用サーミスタ３０の検出温度は下降する。このことから、酸素濃度回復判断手段４２は、ガスバーナ４の燃焼停止後、過熱防止用サーミスタ３０の検出温度が第１所定温度（例えば３２℃）以下となったときに、燃焼用酸素の濃度が前記所定濃度（２０．５％）まで回復したと判断するようにしてもよい。
【００８２】
さらに、図１１を参照して、ｔ６０でガスバーナ４の燃焼が開始されると、室内の温度が上がるため、室温サーミスタ１３の検出温度が次第に上昇する。そして、ｔ６１でガスバーナ４の燃焼が停止されると、その後時間が経過して燃焼用酸素の濃度が高くなるにつれて室内の温度が下がるため、室温サーミスタ１３の検出温度が下降する。このことから、酸素濃度回復判断手段４２は、ガスバーナ４の燃焼停止後、室温サーミスタ３０の検出温度が第２所定温度（例えば１．５℃）以上低下したときに、燃焼用酸素の濃度が前記所定濃度（２０．５％）まで回復したと判断するようにしてもよい。
【００８３】
また、本実施の形態では燃焼装置の例としてガスファンヒータを示したが、他の種類の燃焼装置であってもよい。さらにバーナはガスバーナ以外に、例えば石油バーナを使用する燃焼装置であってもよい。
【００８４】
また、本実施の形態では、ガスバーナの燃焼量が、強燃焼、中燃焼、及び弱燃焼の３段階に切り替わるものを示したが、７段階や８段階など多段階に切り替わるものであってもよい。
【図面の簡単な説明】
【図１】本発明の燃焼装置である温風暖房機の全体構成図。
【図２】図１に示した温風暖房機の制御ブロック図。
【図３】図１に示した制御ユニットの作動フローチャート。
【図４】図１に示した制御ユニットの作動フローチャート。
【図５】図２に示した酸欠監視手段の作動フローチャート。
【図６】図２に示した基準電圧保持手段の作動フローチャート。
【図７】図２に示した酸素濃度回復判断手段の作動説明図。
【図８】燃焼用酸素の濃度が回復するまでに要する時間の設定方法の説明図。
【図９】図２に示した酸素濃度回復判断手段による、燃焼用酸素の濃度の回復判断処理の説明図。
【図１０】図２に示した酸素濃度回復判断手段による、燃焼用酸素の濃度の回復判断処理の説明図。
【図１１】図２に示した酸素濃度回復判断手段による、燃焼用酸素の濃度の回復判断処理の説明図。
【符号の説明】
１…本体ケース、２…ダクト、３…送風ファン、４…バーナ、５…給気ダクト、６…ガス供給管、７…制御ユニット、８…吸気口、９…吹出口、１０…エアフィルタ、１１…可動式ルーパ、１２…ギヤドモータ、１３…室温サーミスタ、１４…ファンモータ、１５…回転羽根、１６…回転数センサ、１７…燃焼胴、１９…点火電極、２０…熱電対、２１…吸気口、２２…ノズル、２４，２５…電磁弁、２６…電磁比例弁、２７…運転スイッチ、２８…室温設定スイッチ、２９…フィルタランプ、３０…過熱防止用サーミスタ、４０…基準電圧保持手段、４１…酸欠監視手段、４２…酸素濃度回復判断手段、４３…燃焼制御部、４４…ファン制御部
【図１】
0003561642.tif 000002
【図２】
0003561642.tif 000003
【図３】
0003561642.tif 000004
【図４】
0003561642.tif 000005
【図５】
0003561642.tif 000006
【図６】
0003561642.tif 000007
【図７】
0003561642.tif 000008
【図８】
0003561642.tif 000009
【図９】
0003561642.tif 000010
【図１０】
0003561642.tif 000011
【図１１】
0003561642.tif 000012